(57)【要約】【課題】グレージングチャンネルが信頼性よく安定して装着されるとともに、装着において生産性に優れるグレージングチャンネルを備えるパネルを提供する。【解決手段】面材であるパネル２と、断面が凹状でパネルの外縁に沿って該パネルに嵌合されて取り付けられるグレージングチャンネル１０、２０とを有し、グレージングチャンネルの端部同士が超音波溶着されていることを特徴とする。【選択図】図１
2008274677.tif 000002
【特許請求の範囲】
【請求項１】
面材であるパネルと、
断面が凹状で長手方向には前記パネルの外縁に沿って該パネルに嵌合されて取り付けられるグレージングチャンネルと、を有し、
前記グレージングチャンネルの端部同士が超音波溶着されていることを特徴とするグレージングチャンネルを備えるパネル。
【請求項２】
グレージングチャンネルの前記端部同士が重なり部を有し、該重なり部の少なくとも一部が超音波溶着されることにより前記グレージングチャンネルの端部同士が溶着されることを特徴とする請求項１に記載のグレージングチャンネルを備えるパネル。
【請求項３】
前記重なり部が、該重なり部の重なり方向に貫通する孔を有することを特徴とする請求項２に記載のグレージングチャンネルを備えるパネル。
【請求項４】
前記グレージングチャンネルの端部の前記凹状である断面のうち対向する２つの辺が、折れ線状及び／又は曲線状に切断されていることを特徴とする請求項１〜３のいずれか一項に記載のグレージングチャンネルを備えるパネル。
【請求項５】
請求項１〜４のいずれか一項に記載のグレージングチャンネルを備えるパネルと、
該グレージングチャンネルを備えるパネルの外縁に沿って配置される框と、を有する障子。
【発明の詳細な説明】
【技術分野】
【０００１】
本発明は、窓の障子等に用いられるグレージングチャンネルを備えるパネルに関し、詳しくは、生産性を向上させ、高い信頼性を有して取り付けられるグレージングチャンネルを備えるパネルに関する。
【背景技術】
【０００２】
建物の窓は、建物の開口部の４辺に沿って取り付けられた枠体、及び該枠体の内側に開閉可能に取り付けられる障子を備えている。この障子はさらに、ガラス板等からなるパネル、該パネルの４辺を縁取るように配置される框、及び框にパネルを水密気密を有して保持するためにパネルと框との間に具備されるグレージングチャンネルを有している。
【０００３】
図１２に、グレージングチャンネル付きパネル３０１が框３４０に取り付けられた部分に注目した断面図を示した。図１２からわかるように、グレージングチャンネル３１０は、断面において凹状に形成され、凹状である内側にパネル３０２の端部を挿入される。そしてこのようにグレージングチャンネル３１０が取り付けられたグレージングチャンネル付きパネル３０１の端部が框３４０に取り付けられる。従って、パネル３０２はグレージングチャンネル３１０を介して框３４０に固定される。グレージングチャンネル３１０は、塩化ビニル等により形成されているので、適切にパネル３０２、框３４０に密着し、水密気密をとることが可能となる。そしてこのような断面形状を概ね維持してパネル３０２の外周に沿ってグレージングチャンネル３１０、及び框３４０が配置されて障子を形成している。
【０００４】
ここで、図１２に示したような断面を有しつつ長手方向に長尺であるグレージングチャンネルをパネルに装着するに際し、従来ではどのように行われていたかについてみる。グレージングチャンネルはパネルの外縁に沿って、この外縁部を一周するように取り付けられるので、少なくとも１箇所で端部同士が接着される。特許文献１には、グレージングチャンネルがパネルに取り付けられる際に該グレージングチャンネルの当接された端部が接着テープにより接着されることが開示されている。
【０００５】
また、同特許文献１に記載のあるように、従来においてグレージングチャンネルの端部が接着剤により接着されていることが通常であった。
【特許文献１】特開２００２−１３３５４号公報
【発明の開示】
【発明が解決しようとする課題】
【０００６】
しかし、従来における接着剤、接着テープによりグレージングチャンネル端部を接着する方法では、それぞれ接着剤、又は接着テープを必要とするのでその費用がかかるという問題があった。
【０００７】
また、性能の観点からは接着剤、接着テープは経時的に粘着力が低下する虞もあり、気温差、湿度の影響等により接着の経時的な安定性に改善が必要であった。
【０００８】
さらに、特に接着剤を用いた場合には接着剤が接着の効果を発揮するまでの間養生する必要があり、生産性の観点からも課題があった。
【０００９】
そこで本発明は、グレージングチャンネルが信頼性よく安定して装着されるとともに、装着において生産性に優れるグレージングチャンネルを備えるパネルを提供することを課題とする。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１に記載の発明は、面材であるパネル（２）と、断面が凹状で長手方向にはパネルの外縁に沿って該パネルに嵌合されて取り付けられるグレージングチャンネル（１０、２０）とを有し、グレージングチャンネルの端部同士が超音波溶着されていることを特徴とするグレージングチャンネルを備えるパネル（１）を提供することにより前記課題を解決する。
【００１２】
請求項２に記載の発明は、請求項１に記載のグレージングチャンネルを備えるパネル（１）におけるグレージングチャンネル（１０、２０）の端部が重なり部（１５）を有し、該重なり部の少なくとも一部が超音波溶着されることによりグレージングチャンネルの端部同士が溶着されることを特徴とする。
【００１３】
請求項３に記載の発明は、請求項２に記載のグレージングチャンネルを備えるパネル（１）における重なり部（１５）が、該重なり部の重なり方向に貫通する孔（１７）を有することを特徴とする。
【００１４】
ここで「重なり部の重なり方向に貫通する孔」とは、重ねられた２つの部材を連通して貫通する孔を意味する。
【００１５】
請求項４に記載の発明は、請求項１〜３のいずれか一項に記載のグレージングチャンネルを備えるパネル（２０１）においてグレージングチャンネル（２１０、２２０）の端部の凹状である断面のうち対向する２つの辺が、折れ線状及び／又は曲線状に切断されていることを特徴とする。
【００１６】
請求項５に記載の発明は、請求項１〜４のいずれか一項に記載のグレージングチャンネルを備えるパネル（１）と、該グレージングチャンネルを備えるパネルの外縁に沿って配置される框とを有する障子を提供することにより前記課題を解決する。
【発明の効果】
【００１７】
請求項１に記載の発明によれば、グレージングチャンネルを連結する際に接着剤や接着テープを必要としないので、材料を減らすことができる。また、接着剤のような養生を必要とせず、効率の良い製造をすることも可能となる。また、材料同士が一体化することにより連結が行われるので経時劣化が起こり難く、耐候性にも優れたものとなり、信頼性の高いグレージングチャンネルを備えるパネルを提供することができる。
【００１８】
請求項２に記載の発明によれば、溶着をする部分を大きく確保することができ、さらに確実で信頼性の高い溶着をすることができる。
【００１９】
請求項３に記載の発明によれば、当該貫通孔に棒状突起等を差し込むことにより、溶着部の位置決め、及び位置ずれ防止をすることができ利便性が向上する。
【００２０】
請求項４に記載の発明によれば、溶着時を含む組み立てにおいて突き合わせられる部分の位置ずれを防止することができる。
【００２１】
請求項５に記載の発明によれば、上記効果を奏する障子を提供することができる。
【００２２】
本発明のこのような作用及び利得は、次に説明する発明を実施するための最良の形態から明らかにされる。
【発明を実施するための最良の形態】
【００２３】
以下本発明を図面に示す実施形態に基づき説明する。
【００２４】
図１は第一実施形態に係る本発明のグレージングチャンネルを備えるパネル（以下グレチャンパネルと記載することがある。）１の斜視図である。また図２はグレチャンパネル１の分解正面図である。図３は図１にＡ−Ａで示した線に沿った垂直断面図うち下端（紙面下方）に注目した部分の断面図である。図１〜図３、及び適宜示す図を参照しつつグレチャンパネル１について説明する。
【００２５】
グレチャンパネル１は、パネル２と、グレージングチャンネル１０、２０とを備えている。パネル２は例えばガラスパネル等のようないわゆる面材で、本実施形態では図３に表れているように複層ガラスのガラスパネルである。詳しくは、パネル２は、ガラス板３と、該ガラス板３から所定の間隔を有して平行に配置されるガラス板４と、２枚のガラス板３、４の上記所定の間隔を維持するためのスペーサー５とを備えている。スペーサー５は、ガラス板３、４の外縁に沿って配置される。
【００２６】
本実施形態では複層ガラスによるパネルをパネル２としたが、これに限定されるものではなく、例えば単層ガラスによるパネルであってもよい。また、必ずしもガラスである必要はなく、アクリルやポリカーボネート等のような樹脂、アルミニウム等の金属、又は木材によるパネルであっても良い。
【００２７】
グレージングチャンネル１０は、図３に表れているように、断面において凹状を有するとともに、詳しくは断面凹状である硬質部材１２、及び硬質部材１２の開口端部のそれぞれに備えられる軟質部材１３、１３を有して形成されている。軟質部材１３、１３は、硬質部材１２の開口幅よりも狭い間隔の間隙を形成するように対向して配置され、対向する挟持片１３ａ、１３ａ、及び挟持片１３ｂ、１３ｂの間隔がもっとも狭く形成されている。
【００２８】
一方、グレージングチャンネル１０の長手方向の形状は、図２に表れているように、１箇所で折り曲げられた略Ｌ字状である長尺なものである。Ｌ字状であるそれぞれの長さはパネル２の辺の長さに対応したものとなっている。
【００２９】
さらに、長手方向一端には、グレージングチャンネル２０との重なり部として機能する連結部材１５が設けられている。図４（ａ）に連結部材１５に注目した斜視図、図４（ｂ）に連結部材１５に注目した正面図を示した。連結部材１５はグレージングチャンネル１０の一端において、硬質部材１２の凹状である底辺のみが延長されるように形成された板状の部位である。当該連結部材１５もパネル２の縁に沿って配置されるので、図２に示したように折り曲げられている。
【００３０】
連結部材１５の長さ、厚さは後述するような溶着を適切に行うことができれば特に限定されるものではない。
【００３１】
さらに連結部材１５は、その板厚方向に貫通した孔１７を備えるとともに、グレチャンパネル１として組み立てられた状態で該孔１７の周囲に環状の溶着部１６を有している。他の部材との関係、及び溶着の態様については後で詳しく説明する。
【００３２】
グレージングチャンネル１０の連結部材１５が配置されていない端部は、図２に表れているように凹状断面における対向する２つの側壁が斜めに切除されている。また、該端部の近傍の凹状断面における底部には、その厚み方向に貫通した不図示の孔が形成されている。当該孔は、他方のグレージングチャンネル２０の連結部材２５に設けられた孔に重ね合わされるように配置される。孔の配置については後で説明する。
【００３３】
グレージングチャンネル１０のＬ字状である折り曲げ部は、グレージングチャンネル１０の断面凹状における対向する２つの側壁をＶ字状に切り欠くことにより折り曲げ可能とされている。
【００３４】
グレージングチャンネル２０は、グレージングチャンネル１０と向きが異なるのみでその形状は同じなので、説明は省略する。
【００３５】
グレージングチャンネル１０、２０の材質は通常に考えられるものを用いることができ、特に限定されるものではない。代表的なものとして塩化ビニル（塩ビ）により形成される。
【００３６】
本実施形態では、１本のグレージングチャンネルがパネルの２つの辺に装着されるようにＬ字状形成され、合計２本のグレージングチャンネルが備えられているが、これに限定されるものではない。例えばパネルの各辺につき１本のグレージングチャンネルが取り付けられても良く、この場合には１本のグレージングチャンネルは直線状となる。また、１本のグレージングチャンネルでパネルの４辺の全てに装着することができる形態でもよい。各形態においてグレージングチャンネルの数と同じ数の連結部分が設けられる。
【００３７】
次に以上説明した本発明のグレチャンパネル１の各構成要素がどのように配置され、組み立てられているかについて説明する。
【００３８】
パネル２の端部とグレージングチャンネル１０とは図３に示したように配置されている。すなわち、パネル２の端面がグレージングチャンネル１０の凹状断面における底部近くまで達するように挿入される。このとき、軟質部材１３、１３の挟持片１３ａ、１３ａ、及び挟持片１３ｂ、１３ｂがパネル２の両面に密着する。軟質部材１３は軟質である材料により形成されているのでパネル２に適切に密着し、これにより固定、及び／又は水密気密をとることが可能となる。
【００３９】
かかる断面を有してパネル２の４辺の周囲にグレージングチャンネル１０、２０が配置される。
【００４０】
グレージングチャンネル１０とグレージングチャンネル２０との連結は次のように行われている。図２からわかるように、グレージングチャンネル１０の連結部材１５を備える端部とグレージングチャンネル２０の連結部材２５を有しない端部とがパネル２の１つの角（図２の紙面左上の角）に配置される。同様に、グレージングチャンネル１０の連結部材１５を備えない端部とグレージングチャンネル２０の連結部材２５を有する端部とがパネル２の他の１つの角（図２の紙面右下の角）に位置づけられる。このとき、図４からわかるように、連結部材１５はグレージングチャンネル２０の上に重ね合わせられるように配置される。そして、連結部材１５とグレージングチャンネル２０とは溶着により連結されている。図５には、図４にＢ−Ｂで示した線に沿った断面図を示した。このように、連結部材１５とグレージングチャンネル２０とは、重なって配置された部分において孔１７及び孔２９が連通させられるとともに溶着部１６、２８で一体に溶着されている。
【００４１】
上記連結は連結部材２５とグレージングチャンネル１０との間でも同様に行われる。このように、本発明のグレチャンパネル１ではグレージングチャンネル１０、２０の連結が溶着により行われているので、接着剤や接着テープを必要とすることがなく、コストを削減することが可能となる。そして接着剤のように接着効果を発揮するまでの養生を必要としないので、生産性を向上させることもできる。
【００４２】
溶着部の形状、大きさは特に限定されるものではないが、同じ溶着条件のもとでは溶着面積は大きい方が強固な連結をさせることができる。本実施形態において溶着部は円形であるがこれに限定されることはなく、四角形、多角形であってもよい。後で示す他の実施形態においても同様である。
【００４３】
また、溶着は材料同士が一体化することにより連結が行われるので経時劣化が起こり難く、耐候性にも優れたものとなり、信頼性の高いグレチャンパネルを提供することができる。
【００４４】
また、貫通する孔１７、２９を有しているので、ここに棒などを差し込むことにより、位置合わせをすることができる。また、当該棒を差し込みつつ溶着をすれば溶着中における位置ずれを防止することも可能なので、溶着時のずれによる不具合を抑制できる。孔１７、２９は必ずしも備えられなくても本発明のグレチャンパネルをすることができるが、上記効果を奏するので、孔１７、２９が備えられることが好ましい。
【００４５】
溶着の方法は特に限定されるものではないが、直接熱を与えることによる溶着、レーザ照射による溶着、超音波を用いた溶着等を挙げることができる。この中でも、取り扱い性等の観点から超音波を用いた溶着を好ましく用いることができる。超音波による溶着は、超音波振動する端子を溶着部に押し当てる。これにより当該押し当てられた部分におけるグレージングチャンネルが振動し、重なる部分で摩擦熱が発生することにより溶着ができる。このとき、超音波振動する端子の端部形状に孔１７、２９に差込可能な棒状突起を設けておけば位置決め、位置ずれ防止、及び溶着を同一の端子で行うことができ、利便性が向上する。
【００４６】
図６、図７には、本実施形態の変形例であるグレチャンパネル１’、１’’、１’’’の連結部材１５’、１５’’、１５’’’の部分に着目した図を示した。図６は斜視図、図７は図５に相当する断面図である。当該変形例であるグレチャンパネル１’、１’’、１’’’の他の部分はグレチャンパネル１の説明が該当する。
【００４７】
図６（ａ）に示したグレチャンパネル１’では孔１７’、１７’及び溶着部１６’、１６’が２つ設けられている。このように、溶着部が複数設けられていてもよい。これによりさらに強固な連結をすることができる。
【００４８】
図６（ｂ）に示したグレチャンパネル１’’では、孔１７’’（これに対応するグレージングチャンネル２０’’に備えられる不図示の孔２９’’も含む。）と、溶着部１６’’（これに対応するグレージングチャンネル２０’’の不図示の溶着部２８’’も含む。）とが異なる位置に配置されている。このようにグレチャンパネル１のように孔１７、２９と溶着部１６、２８（図５参照）とが必ずしも同じような位置にある必要はなく、離隔した位置であってもよい。これによれば例えば溶着する手段と位置決めの手段とを所定の距離を有して配置する必要がある場合であっても適応することができる。
【００４９】
図７に示したグレチャンパネル１’’’は、グレチャンパネル１における連結部材１５に対応する連結部材１５’’’がグレージングチャンネル２０’’’の下に配置されている例である。かかる態様でも本発明のグレチャンパネルとすることが可能である。
【００５０】
図８には第二実施形態に係るグレチャンパネル５１及びその変形例５１’のうち、グレージングチャンネル６０、７０、６０’、７０’の連結部分に注目した正面図を示した。他の部分については第一実施形態のグレチャンパネル１の説明が該当する。
【００５１】
図８（ａ）に示したグレチャンパネル５１では、グレージングチャンネル６０及びグレージングチャンネル７０に上記した連結部材１５を有しておらず、端部同士が単に当接さられたのみである。そして当該当接された部分を溶着することにより溶着部６６を得て連結が行われる。これによっても本発明の上記効果を奏するグレチャンパネルを提供することができる。図８（ｂ）に示した変形例は、当接された部分の一部を溶着して溶着部６６’を得て連結した例である。
【００５２】
図９は第三実施形態に係るグレチャンパネル１０１のうちグレージングチャンネル１１０、１２０の連結部分に注目した図である。図９（ａ）は斜視図、図９（ｂ）は正面図である。他の部分については第一実施形態のグレチャンパネル１の説明が該当する。
【００５３】
グレチャンパネル１０１では、グレージングチャンネル１１０、１２０のいずれにも当接される端部から延在する連結板１１５、１２５を備えている。そして該連結板１１５、１２５の一面同士を密着させ、ここを溶着することによりグレージングチャンネル１１０とグレージングチャンネル１２０とを連結することができる。かかるグレチャンパネル１０１でも、本発明の上記効果を奏するものとなる。
【００５４】
図１０には第四実施形態に係るグレチャンパネル１５１及びその変形例１５１’のうち、グレージングチャンネル１６０、１７０、１６０’、１７０’の連結部分に注目した正面図を示した。
【００５５】
図１０に示したグレチャンパネル１５１、１５１’では、グレージングチャンネル１６０とグレージングチャンネル１７０との連結部分がパネル１５２の角部ではなく、辺の途中に形成されている。
従って、本実施形態ではグレージングチャンネル１６０、１７０、１６０’、１７０’は長手方向にはＬ字状でなく、コ字状である。図１０（ａ）に示したグレチャンパネル１５１ではグレージングチャンネル１６０の端部から延在する連結板材１６５がグレージングチャンネル１７０の上部に重ねられ、第一実施形態に示したグレチャンパネル１と同様の方法で連結されている。図１０（ｂ）に示したグレチャンパネル１５１’ではグレージングチャンネル１６０’の端部とグレージングチャンネル１７０’の端部とが突き合わせられ、当該突き合わせられた部分で第二実施形態のグレチャンパネル５１と同様に溶着される。
【００５６】
図１１には第五実施形態に係るグレチャンパネル２０１のうちグレージングチャンネル２１０、２２０の連結部分に注目した正面図を示した。他の部分については第一実施形態のグレチャンパネル１の説明が該当する。
【００５７】
グレチャンパネル２０１では、第一実施形態のグレチャンパネル１の構成に加え、グレージングチャンネル２１０及びグレージングチャンネル２２０の端部側壁が図１１に示したように折れ線状に形成されている。具体的には、図１１に示したように、グレージングチャンネル２１０、２２０がパネル２０２に取り付けられたときに、その一部が連結部材２１５の長手方向に略平行となる部分２１８、２２８を備えている。これにより溶着時に図１１に矢印Ｃで示した方向に押し付ける力が加わっても、グレージングチャンネル２２０が紙面下方に移動することを抑制することができ、位置ずれを防止することができる。
【００５８】
本実施形態では当該端部を直線による折れ線状に形成した例を示したがこれが曲線状であってもよく、直線状と曲線状との両方が用いられてもよい。
【００５９】
さらに上記した各実施形態のグレチャンパネルの外縁に沿って框を配置することにより、本発明の効果を奏する障子を提供することができる。
【００６０】
以上、現時点においてもっとも実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うグレージングチャンネルを備えるパネルもまた本発明の技術的範囲に包含されるものとして理解されなければならない。
【図面の簡単な説明】
【００６１】
【図１】第一実施形態に係る本発明のグレチャンパネル斜視図である。
【図２】図１に示したグレチャンパネルの分解正面図である。
【図３】図１にＡ−Ａで示した線に沿った垂直断面の一部に注目した断面図である。
【図４】グレージングチャンネルの連結部分に注目した図である。
【図５】図４にＢ−Ｂで示した線に沿って切断した断面図である。
【図６】第一実施形態のグレチャンパネルの変形例を示す図である。
【図７】第一実施形態のグレチャンパネルの変形例を示す図である。
【図８】第二実施形態に係るグレチャンパネル及びその変形例であるグレージングチャンネルの連結部に注目した正面図である。
【図９】第三実施形態に係るグレチャンパネルのグレージングチャンネルの連結部に注目した斜視図及び正面図である。
【図１０】第四実施形態に係るグレチャンパネルのグレージングチャンネルの連結部に注目した正面図である。
【図１１】第五実施形態に係るグレチャンパネルのグレージングチャンネルの連結部に注目した正面図である。
【図１２】従来におけるパネル、グレージングチャンネル、及び框の配置を示した断面図である。
【符号の説明】
【００６２】
１  グレージングチャンネルを備えるパネル（グレチャンパネル）
２  パネル
１０  グレージングチャンネル
１５  連結部材（重なり部）
１６  溶着部
１７  孔
２０  グレージングチャンネル
２５  連結部材（重なり部）
２８  溶着部
２９  孔
５１  グレージングチャンネルを備えるパネル（グレチャンパネル）
１０１  グレージングチャンネルを備えるパネル（グレチャンパネル）
１５１  グレージングチャンネルを備えるパネル（グレチャンパネル）
２０１  グレージングチャンネルを備えるパネル（グレチャンパネル）
【図１】
2008274677.tif 000003
【図２】
2008274677.tif 000004
【図３】
2008274677.tif 000005
【図４】
2008274677.tif 000006
【図５】
2008274677.tif 000007
【図６】
2008274677.tif 000008
【図７】
2008274677.tif 000009
【図８】
2008274677.tif 000010
【図９】
2008274677.tif 000011
【図１０】
2008274677.tif 000012
【図１１】
2008274677.tif 000013
【図１２】
2008274677.tif 000014